(57)【要約】【課題】  ボックスの製造に手間がかからず、コストを抑えることができ、しかも、ボックスの連結構造によって外観が損なわれない、組立式棚を提供する。【解決手段】  組立式棚1は、正面より見て六角形の複数のボックス2をハニカム状に組み合わせてなる。各ボックス2の上部傾斜側板23および下部傾斜側板24の外面にピン嵌入用有底孔231,241が少なくとも２つずつ形成され、斜め方向に隣り合うボックス2の上部傾斜側板23と下部傾斜側板24とが、これらの対応する有底孔(231)(241)に連結用ピン(3)がまたがって嵌め入れられることによって連結されている。【選択図】  図４
0003103304.tif 000002
【実用新案登録請求の範囲】
【請求項１】
天板(21)、底板(22)ならびに各左右２枚の上部傾斜側板(23)および下部傾斜側板(24)を備えた正面より見て六角形の複数のボックス(2)をハニカム状に組み合わせてなる組立式棚(1)において、
各ボックス(2)の上部傾斜側板(23)および下部傾斜側板(24)の外面にピン嵌入用有底孔(231)(241)が少なくとも２つずつ形成され、斜め方向に隣り合うボックス(2)の上部傾斜側板(23)と下部傾斜側板(24)とが、これらの対応する有底孔(231)(241)に連結用ピン(3)がまたがって嵌め入れられることによって連結されていることを特徴とする、組立式棚。
【請求項２】
ピン嵌入用有底孔(231)(241)が、上部傾斜側板(23)および下部傾斜側板(24)それぞれの外面の４つの隅部のうち少なくとも上側または下側の２つの隅部に形成されていることを特徴とする、請求項１記載の組立式棚。
【考案の詳細な説明】
【技術分野】
【０００１】
本考案は、組立式棚に関し、より詳細には、複数のボックスを組み合わせることによって形成される組立式棚に関する。
【背景技術】
【０００２】
この種の組立式棚として、天板、底板ならびに各左右２枚の上部傾斜側板および下部傾斜側板を備えた正面より見て六角形の複数のボックスをハニカム状に組み合わせてなるものが知られている。
【０００３】
このようなハニカム形の組立式棚にあっては、従来、次のようにしてボックスどうしが連結されていた。即ち、各ボックスの天板、底板ならびに各左右２枚の上部傾斜側板および下部傾斜側板の外面に、前後方向に伸びるあり溝と、該あり溝に嵌め入れられるあり状凸部とがそれぞれ形成され、斜め方向に隣り合うボックスの上部傾斜側板と下部傾斜側板、ならびに上下方向に隣り合うボックスの天板と底板とが、それぞれ、一方の板のあり溝に他方の板のあり状凸部を嵌め入れることによって連結されている（下記特許文献１参照）。
【０００４】
しかしながら、上記の組立式棚の場合、ボックスを構成する各板の外面に、あり溝およびあり状凸部を形成する必要があるため、その加工に手間を要し、それだけコストも高くつくという問題があった。
【０００５】
また、上記の組立式棚の場合、ボックスどうしの連結に用いられないあり溝やあり状凸部が露出してしまうことによって、組立式棚としての外観が損なわれるおそれがあった。
【特許文献１】実開昭６０−３１８４４号公報
【考案の開示】
【０００６】
本考案の目的は、ボックスの製造に手間がかからず、コストを抑えることができ、しかも、ボックスの連結構造によって外観が損なわれない、組立式棚を提供することにある。
【０００７】
本考案による組立式棚は、天板、底板ならびに各左右２枚の上部傾斜側板および下部傾斜側板を備えた正面より見て六角形の複数のボックスをハニカム状に組み合わせてなるものにおいて、各ボックスの上部傾斜側板および下部傾斜側板の外面にピン嵌入用有底孔が少なくとも２つずつ形成され、斜め方向に隣り合うボックスの上部傾斜側板と下部傾斜側板とが、これらの対応する有底孔に連結用ピンがまたがって嵌め入れられることによって連結されていることを特徴としている。
【０００８】
上記の組立式棚にあっては、棚ユニットを構成するボックスには、これらボックスどうしの連結に必要な構造として上部傾斜側板および下部傾斜側板の外面にピン嵌入用有底孔を少なくとも２つずつ形成しておくだけでよいので、ボックスの製造が容易であり、コストを抑えることができる。
また、棚の組立に際しては、例えば、斜め方向に隣り合う２つのボックスのうち一方のボックスの上部傾斜板または下部傾斜板の有底孔に連結用ピンの一端側半部を嵌め入れておいてから、他方のボックスの下部傾斜板または上部傾斜板の有底孔に連結用ピンの他端側半部を嵌め入れればよいので、組立作業が簡単である。
さらに、ボックスの上部傾斜板および下部傾斜板の外面に形成された有底孔は目立ち難いので、ボックスどうしの連結に用いられない有底孔が露出することによって組立式棚としての外観が損なわれるおそれがない。
【０００９】
本考案による組立式棚において、ピン嵌入用有底孔が、上部傾斜側板および下部傾斜側板それぞれの外面の４つの隅部のうち少なくとも上側または下側の２つの隅部に形成されている場合がある。
【００１０】
上記の場合、ピン嵌入用有底孔の位置を容易に決めることができ、ボックスへの孔あけ加工がやり易い。もっとも、有底孔の位置は上記に限定されず、適宜位置に適宜の数だけ設けることが可能である。
【考案を実施するための最良の形態】
【００１１】
次に、図１〜図４を参照して、本考案の実施形態を説明する。なお、以下の説明において、「上下左右」は図１の上下左右をいうものとする。
【００１２】
図１に示すように、本考案による組立式棚(1)は、正面より見て六角形の８個のボックス(2)をハニカム状に組み合わせてなる。
【００１３】
各ボックス(2)は、図１、図３および図４に示すように、天板(21)、底板(22)ならびに各左右２枚の上部傾斜側板(23)および下部傾斜側板(24)を備えている。これらの板(21)(22)(23)(24)としては、単板・合板・繊維板等の木質板、プラスチック板、金属板等の適宜の材料を、単独でまたは数種類積層して使用することができる。板(21)(22)(23)(24)どうしの接合には、材料や大きさ等に応じて、機械的接合、接着等の適宜の方法が用いられる。
なお、各ボックス(2)には、更に六角形の背板（図示略）や、ボックス(2)内部を仕切る水平または垂直仕切板（図示略）が備えられていてもよい。また、このような背板や仕切板を有するボックスとこれらを有しないボックスとを組み合わせて用いることも可能である。
【００１４】
図３に詳しく示すように、ボックス(2)の各左右２枚の上部傾斜側板(23)および下部傾斜側板(24)の外面には、ピン嵌入用有底孔(231)(241)が２つずつ形成されている。これらの有底孔(231)(241)は、上部傾斜側板(23)および下部傾斜側板(24)それぞれの外面の上側の前後２つの隅部に形成されている。
【００１５】
そして、図１、図２および図４に示すように、斜め方向に隣り合うボックス(2)の上部傾斜側板(23)と下部傾斜側板(24)とが、これらの対応する有底孔(231)(241)に連結用ピン(3)をまたがって嵌め入れることにより連結されている。より具体的に言うと、例えば、中央列上段のボックス(2)における右側の上部傾斜板(23)外面の前上隅部および後上隅部の有底孔(231)と、右列上段のボックス(2)における左側の下部傾斜板(24)外面の前上隅部および後上隅部の有底孔(241)とに、それぞれ連結用ピン(3)がまたがって嵌め入れられている。
【００１６】
ピン(3)は、例えばステンレス鋼等の金属によって形成されており、有底孔(231)(241)の深さのほぼ２倍の長さを有し、また、有底孔(231)(241)の径とほぼ同じ外径を有している。
【００１７】
上記の棚(1)は、例えば、次のようにして組み立てられる。即ち、図４に示すように、斜め方向に隣り合わせられる２つのボックス(2)のうち下側に位置するボックス(2)の上部傾斜板(23)の各有底孔(231)に、連結用ピン(3)の一端側半部を嵌め入れておいてから、上側に位置するボックス(2)の下部傾斜板(24)の各有底孔(231)に連結用ピン(3)の他端側半部を嵌め入れ、それによって両ボックス(2)を連結する。そして、この連結作業を順次行うことにより、図１に示すようなハニカム状の組立式棚(1)が組み立てられる。
なお、この組立式棚(1)では、前述のようにして斜め方向に隣り合うボックス(2)どうしが確実に連結されることによって、棚(1)としての強度が十分に維持できるため、上下のボックス(2)どうしを連結する必要は特にない。したがって、その分だけ棚(1)の組立の工数が軽減され、組立作業を効率よく行うことができる。
【００１８】
また、図１に示すように、組立式棚(1)の左右両側に位置するボックス(2)における外側の上部傾斜側板(23)および下部傾斜側板(24)の有底孔(231)(241)は、ボックス(2)どうしの連結に用いられずにそのまま露出しているが、非常に小さいものであってほとんど目立たず、これらによって棚(1)としての外観が損なわれるおそれはない。
もっとも、前記有底孔(231)(241)に、例えば上部傾斜側板(23)や下部傾斜側板(24)の外面と同一の材料よりなる短い棒状の栓体（図示略）を嵌め入れて、これらの孔(231)(241)を隠してしまうことも可能である。
【図面の簡単な説明】
【００１９】
【図１】本考案による組立式棚の斜視図である。
【図２】組立式棚におけるボックスどうしの連結部分の拡大垂直断面図である。
【図３】組立式棚のボックスの一部を示す斜視図である。
【図４】組立式棚の組立工程を示す正面図である。
【符号の説明】
【００２０】
(1)：組立式棚
(2)：ボックス
(21)：天板
(22)：底板
(23)：上部傾斜側板
(231)：ピン嵌入用有底孔
(24)：下部傾斜側板
(241)：ピン嵌入用有底孔
(3)：連結用ピン
【図１】
0003103304.tif 000003
【図２】
0003103304.tif 000004
【図３】
0003103304.tif 000005
【図４】
0003103304.tif 000006